(57)【要約】      （修正有）【課題】店頭販売において素手で串元を触っても衛生的な食品用串を提供する。【解決手段】串本体１の基部側で素手で持つ把持部３に抗菌機能、滅菌機能、殺菌機能のいずれかの機能を備えた食品用塗料を塗装する。また、串本体１の断面を星型にすることで、断面積が小さくなって食品に串本体１を差し込む際に差し込み易くなると同時に、食品が串本体１に対して回転しにくくすることができる。【選択図】図６
0003166192.tif 000002
【実用新案登録請求の範囲】
【請求項１】
食品を刺して串ごと焼く食品用串であって、
串本体（１）の基部側であって手で持つ箇所の少なくとも把持部（３）の表面に、抗菌機能、滅菌機能、殺菌機能のいずれかの機能を備えた食品用塗料を塗装していることを特徴とする食品用串。
【請求項２】
前記食品用塗料は無色としていることを特徴とする請求項１に記載の食品用串。
【請求項３】
前記食品用塗料は有色としていることを特徴とする請求項１に記載の食品用串。
【請求項４】
前記食品用塗料を塗装した把持部（３）にそれぞれ異なる色彩を施し、異なる色彩に応じて串製品の部位を予め対応させていることを特徴とする請求項３に記載の食品用串。
【請求項５】
前記食品用塗料を塗装した把持部（３）にそれぞれ異なる色彩を施し、異なる色彩に応じて串製品の値段を予め対応させていることを特徴とする請求項３に記載の食品用串。
【請求項６】
前記串本体（１）の断面形状を星型としていることを特徴とする請求項１〜請求項５のいずれかに記載の食品用串。
【考案の詳細な説明】
【技術分野】
【０００１】
本考案は、団子、田楽、鶏肉などの肉類、ネギ、シイタケなどの野菜を刺して焼いて食べる食品用串に関するものである。
【背景技術】
【０００２】
焼き鳥用や、みたらし団子や、田楽の串の材料としては、一般的には金串（かなぐし）と竹串（たけぐし）が代表的である。そして、焼き鳥などの食品の串打ちの際は衛生的な工場で生産されるため、食中毒菌の汚染は比較的少ないものの、焼き鳥やみたらし団子として店頭で販売される際には、多くは素手で串元を掴み、尚かつその串元は熱源の加熱部分から離れているために不衛生であった。また、製品（鶏肉等）の見栄えを良くするために、食品部を小売現場で加工後に素手で触ることも多々ある。
【０００３】
このように、工場で焼き鳥やみたらし団子が大量に生産される現場においては、衛生的な管理が行き届いているものの、工場から出荷されて実際に焼いて販売される店頭などにおいては、食品部や串の手元を素手で触ることから、非衛生的になるという問題があった。
また、多くの種類の焼き鳥が並べて販売されている場合、鶏肉のどの部位か一見して分からず、また、鶏肉の部位によって値段が異なるものの、一見して焼き鳥の値段が分からないという問題もある。
【考案の概要】
【考案が解決しようとする課題】
【０００４】
本考案は上述の問題点に鑑みて提供したものであって、店頭販売において素手で串元を触っても衛生的な食品用串を提供することを目的としているものである。また、食品用串の串元を色分けすることで、肉の部位や、値段が分かるようにすることをも目的とした食品用串を提供するものである。
【課題を解決するための手段】
【０００５】
そこで、本考案の請求項１に記載の食品用串では、食品を刺して串ごと焼く食品用串であって、串本体１の基部側であって手で持つ箇所の少なくとも把持部３の表面に、抗菌機能、滅菌機能、殺菌機能のいずれかの機能を備えた食品用塗料を塗装していることを特徴としている。
【０００６】
請求項２に記載の食品用串では、前記食品用塗料は無色としていることを特徴としている。
【０００７】
請求項３に記載の食品用串では、前記食品用塗料は有色としていることを特徴としている。
【０００８】
請求項４に記載の食品用串では、前記食品用塗料を塗装した把持部３にそれぞれ異なる色彩を施し、異なる色彩に応じて串製品の部位を予め対応させていることを特徴としている。
【０００９】
請求項５に記載の食品用串では、前記食品用塗料を塗装した把持部３にそれぞれ異なる色彩を施し、異なる色彩に応じて串製品の値段を予め対応させていることを特徴としている。
【００１０】
請求項６に記載の食品用串では、前記串本体１の断面形状を星型としていることを特徴としている。
【考案の効果】
【００１１】
本考案の請求項１に記載の食品用串によれば、串本体１の基部側であって手で持つ箇所の少なくとも把持部３の表面に、抗菌機能、滅菌機能、殺菌機能のいずれかの機能を備えた食品用塗料を塗装しているので、店頭販売において、焼き鳥を焼く場合や、食品装着部２に刺した鶏肉の見栄えを良くするために素手で触る場合や、また、注文のあった焼き鳥を袋やケースに入れる場合に、串本体１の把持部３を素手で持っても、衛生上問題は無い。また、串本体１に刺している食品として、焼き鳥以外で、みたらし団子や、三色団子や、田楽や、イカ焼きの場合も同様に手で持つ把持部３には、抗菌機能、滅菌機能、殺菌機能のいずれかの機能を備えた食品用塗料を塗装をしているので、衛生上問題は無い。
【００１２】
請求項２に記載の食品用串によれば、前記食品用塗料は無色としていることで、店頭販売において、焼き鳥、みたらし団子、イカを焼く場合や、食品装着部２に刺した鶏肉などの見栄えを良くするために素手で触る場合や、また、注文のあった焼き鳥、みたらし団子、イカを袋やケースに入れる場合に、串本体１の把持部３を素手で持っても、衛生上問題は無く、特に把持部３に塗装した食品用塗料は無色なので、串本体１の本来の色のために、購入者に違和感を与えることもない。
【００１３】
請求項３に記載の食品用串によれば、前記食品用塗料は有色としていることで、店頭販売において、焼き鳥、みたらし団子、イカを焼く場合や、食品装着部２に刺した鶏肉などの見栄えを良くするために素手で触る場合や、また、注文のあった焼き鳥、みたらし団子、イカを袋やケースに入れる場合に、串本体１の把持部３を素手で持っても、衛生上問題は無く、特に把持部３に塗装した食品用塗料を有色としているので、色彩により、衛生管理がされている串製品と従来の不衛生に感じる串製品とを一見して理解出来て、視覚による差別化を図ることができる。
【００１４】
請求項４に記載の食品用串によれば、前記食品用塗料を塗装した把持部３にそれぞれ異なる色彩を施し、異なる色彩に応じて串製品の部位を予め対応させていることで、店頭販売における購入者にとって分かり易く、また、串製品の部位の名称を言って注文するのではなく、串本体１の把持部３の色を指定して注文することで、買う側も得る側も間違って違う串製品を買ったり売ったりすることを無くすことができる。
【００１５】
請求項５に記載の食品用串によれば、前記食品用塗料を塗装した把持部３にそれぞれ異なる色彩を施し、異なる色彩に応じて串製品の値段を予め対応させているので、店頭販売における購入者にとって分かり易く、また、串製品の部位の名称を言って注文するのではなく、串本体１の把持部３の色を指定して注文することで、買う側も得る側も間違って違う串製品を買ったり売ったりすることを無くすことができる。
【００１６】
請求項６によれば、食品用串によれば、前記串本体１の断面形状を星型としているので、断面積が小さくなって食品を串本体１に差し込む際に差し込み易くなると同時に、差し込んだ食品と接触する串本体１の表面積が断面を円形とした場合より表面積が大きくなって、また、複数の突起状の部分により、食品の保持力を高くすることができる。そのため、食品が串本体１に対して回転しにくくなり、焼き作業中、手で串本体１を回転させ易く、食品を満遍なく焼くことができる。
【図面の簡単な説明】
【００１７】
【図１】本考案の実施の形態における把持部に塗装した食品用塗料を無色とし、断面を円形とした串本体の斜視図である。
【図２】本考案の実施の形態における把持部に塗装した食品用塗料を無色とし、断面を星型とした串本体の斜視図である。
【図３】本考案の実施の形態における把持部に塗装した食品用塗料を無色とし、断面を四角形状とした串本体の斜視図である。
【図４】本考案の実施の形態における把持部に塗装した食品用塗料を無色とし、把持部を偏平とした串本体の斜視図である。
【図５】本考案の実施の形態における把持部に塗装した食品用塗料を有色とし、断面を円形とした串本体の斜視図である。
【図６】本考案の実施の形態における把持部に塗装した食品用塗料を有色とし、断面を星型とした串本体の斜視図である。
【図７】本考案の実施の形態における把持部に塗装した食品用塗料を有色とし、断面を四角形状とした串本体の斜視図である。
【図８】本考案の実施の形態における把持部に塗装した食品用塗料を有色とし、把持部を偏平とした串本体の斜視図である。
【考案を実施するための形態】
【００１８】
以下、本考案の実施の形態を図面を参照して詳細に説明する。図１は断面を円形とした串本体１の斜視図を示しており、この串本体１の先端は、鶏肉の種々の部位や、ネギ、タマネギ、シイタケなどの野菜を刺して装着し易いように尖っている。
また、この串本体１は、鶏肉の色々な部位や野菜が装着される食品装着部２と、この食品装着部２より基部側で素手で持つ把持部３とで構成されている。なお、串本体１に刺す食品として焼き鳥を例として説明する。
【００１９】
そして、上記把持部３の表面には、抗菌機能、滅菌機能、殺菌機能のいずれかの機能を備えた無色の食品用塗料を塗装しており、この無色の食品用塗料を塗装した部分を塗装部４とする。この塗装部４は少なくとも把持部３には設けており、また、串本体１の全体にわたって食品用塗料を塗装した塗装部４としても良い。
【００２０】
店頭販売において、焼き鳥を焼く場合や、食品装着部２に刺した鶏肉の見栄えを良くするために素手で触る場合や、また、注文のあった焼き鳥を袋やケースに入れる場合に、串本体１の把持部３を素手で持っても、把持部３は、抗菌機能、滅菌機能、殺菌機能のいずれかの機能を備えた食品用塗料を塗装しているために、衛生上問題は無い。特に把持部３に塗装した食品用塗料は無色なので、串本体１の本来の色のために、購入者に違和感を与えることもない。
【００２１】
なお、串本体１の材料としては、竹串、金串であり、後述する串本体１の材料も同様である。
【００２２】
ところで、図１に示す串本体１は断面を円形としているために、食品装着部２に装着した肉や野菜が確実に保持出来ない場合がある。つまり、肉や野菜の部位の大きさやバランスにより食品が回転し易くなり、串本体１を回転させて焼く場合に食品を思い通りに焼くことが出来ない恐れがある。
【００２３】
そこで、食品を回転出来ないように確実に保持できるようにしたのが図２に示す串本体１である。この串本体１は図示するように断面を星型にしたものである。この串本体１の断面を星型にすることで、断面積が小さくなって食品を串本体１に差し込む際に差し込み易くなると同時に、差し込んだ食品と接触する串本体１の表面積が断面を円形とした場合より表面積が大きくなって、また、複数の突起状の部分により、食品の保持力を高くすることができる。
そのため、食品が串本体１に対して回転しにくくなり、焼き作業中、手で串本体１を回転させ易く、食品を満遍なく焼くことができる。
【００２４】
図３は断面を四角状にした串本体１の斜視図を示し、串本体１の把持部３に抗菌機能、滅菌機能、殺菌機能のいずれかの機能を備えた食品用塗料を塗装して塗装部４を形成していることは先の実施形態と同様である。
また、串本体１の断面を四角形状としていることで、食品の保持力を断面を円形とした場合よりも高めることができ、食品が串本体１に対して回転しにくくなり、焼き作業中、手で串本体１を回転させ易く、食品を満遍なく焼くことができる。
【００２５】
図４は串本体１の把持部３を偏平としたものであり、この把持部３に抗菌機能、滅菌機能、殺菌機能のいずれかの機能を備えた食品用塗料を塗装した塗装部４を形成している。この塗装部４により把持部３を素手で持っても衛生的である。
なお、この串本体１の食品装着部２は断面を円形としているが、断面を星型や四角形状としても良いのはもちろんである。かかる場合、図２や図３の場合と同様の効果を奏する。
【００２６】
また、図４に示す実施形態では、把持部３を偏平としているので、この把持部３の表面に、肉の部位の名称や、値段を書いておくことで、購入者は一見して種類を見分けることができ、また、値段も一見した分かるので、購入者にとって重宝である。
【００２７】
図５は、図１に対応した実施形態を示し、本実施形態では串本体１の少なくとも把持部３に、抗菌機能、滅菌機能、殺菌機能のいずれかの機能を備えた有色の食品用塗料を塗装ないし塗布して塗装部４としたものである。
また、図６〜図８は、図２〜図４にそれぞれ対応したものであり、把持部３に塗装する抗菌機能、滅菌機能、殺菌機能のいずれかの機能を備えた食品用塗料を有色としたものであり、他の構成は図２〜図４の場合と同様である。そのため、少なくとも串本体１の把持部３を着色した以外の構成による効果は、図１〜図４の場合と同じである。
【００２８】
なお、図５〜図８において、串本体１の把持部３の表面を着色していて、端面は着色せずに描かれているが、全体を着色すると形状が分かりにくくなるので、把持部３の端面だけ着色せずに白く描いている。実際は把持部３の端面も食品用塗料にて塗装ないし塗布されるものである。
【００２９】
食品用塗料の色彩として、どのような色彩でも良く、これは串製品の部位色別での面白さや、値段の管理がし易いこと、従来の串との衛生管理の違いをアピールができる等の特徴を打ち出すことができる。
すなわち、串本体１の把持部３を抗菌機能、滅菌機能、殺菌機能のいずれかの機能を備えた有色の食品用塗料を塗装することで、衛生管理がされている串製品と従来の不衛生に感じる串製品とを一見して理解出来て、視覚による差別化を図ることができる。
【００３０】
着色した把持部３の利用方法として、例えば、赤色は食品装着部２に付ける肉の部位をモモとし、緑色はキモとしたり、また、赤色は値段が１５０円、緑色は１００円などとする。色彩に対応した部位の種類や値段を別に表示しても良く、また、図８に示す串本体１では把持部３が偏平となっているので、直接把持部３に部位の名前や値段を表示するようにしても良い。
【００３１】
このように、把持部３に着色した色彩に応じて部位の名称や値段を予め決めておくことで、店頭販売における購入者にとって分かり易く、また、串製品の部位の名称を言って注文するのではなく、串本体１の把持部３の色を指定して注文することで、買う側も得る側も間違って違う串製品を買ったり売ったりすることを無くすことができる。
【００３２】
なお、串本体１の断面形状を円形、星型、四角形状としていたが、種々の断面形状や、また従来の丸串、鉄砲串、角串、平串等にも本考案を適用することができる。また、串本体１の材料も、竹、木、金属にも適用することができる。
さらに、無色、あるいは有色の食品用塗料を串本体１の全体にわたって塗装しても良く、少なくとも、素手で持つ把持部３には、食品用塗料を塗装するようにしている。
【００３３】
また、上記の実施形態では、串本体１に刺す食品として焼き鳥の場合について説明したが、焼き鳥の他に、みたらし団子や三色団子などの団子類、田楽、イカ焼きなどにも適用することができる。
かかる場合においても、みたらし団子や、三色団子や、田楽や、イカ焼きの場合も同様に素手で持つ把持部３には、抗菌機能、滅菌機能、殺菌機能のいずれかの機能を備えた食品用塗料を塗装をしているので、衛生上問題は無い。
【符号の説明】
【００３４】
１  串本体
２  食品装着部
３  把持部
４  塗装部
【図１】
0003166192.tif 000003
【図２】
0003166192.tif 000004
【図３】
0003166192.tif 000005
【図４】
0003166192.tif 000006
【図５】
0003166192.tif 000007
【図６】
0003166192.tif 000008
【図７】
0003166192.tif 000009
【図８】
0003166192.tif 000010